(57)【要約】【課題】独立の専用の光源を設けることなく、既存の発光源を利用して、暗い場所でのデジタルカメラのメモリカードの着脱を容易にできるようにし、操作性を改善する。【解決手段】デジタルカメラ１の既存の発光源を用いてメモリーカード収納入口３１を照明する。例えば、発光源はストロボ１０とし、照明手段としてストロボ１０のレフレクタ１２に設けた孔１３からの漏光を導く導光部材２０と、メモリカード収納入口３１の周囲に設けた蓄光部材３２と、カード収納入口３１の蓋３３の開閉を検知する検出スイッチ３５を設け、検出スイッチ３５の指令によりストロボ１０を作動させる。【選択図】　　　　図１
2004061571.tif 000002
【特許請求の範囲】
【請求項１】
デジタルカメラの既存の発光源を用いてメモリーカード収納入口を照明する照明手段を備えたことを特徴とするデジタルカメラの照明装置。
【請求項２】
前記発光源はストロボとし、前記照明手段はストロボのレフレクタに設けた孔からの漏光を導く導光部材と、メモリーカード収納入口の周囲に設けた蓄光部材と、カード収納入口の蓋の開閉を検知する検出スイッチとから成ることを特徴とする請求項１記載のデジタルカメラの照明装置。
【請求項３】
前記発光源は液晶モニタのバックライトとし、前記照明手段はバックライトの一部をメモりカード挿入口方向に漏光させる光路、又はバックライトの一部をメモリカード挿入口付近に導く導光部材であることを特徴とする請求項１記載のデジタルカメラの照明装置。
【請求項４】
前記発光源は既設のＬＥＤ光源とし、前記照明手段はＬＥＤ光源をメモリカード挿入口付近に導く導光部材であることを特徴とする請求項１記載のデジタルカメラの照明装置。
【発明の詳細な説明】
【０００１】
【発明の属する技術分野】
本発明は、デジタルカメラの照明装置に関する。
【０００２】
【従来の技術】
従来技術では、暗い場所で機器のメモリカードの着脱を容易にできるよう、メモリカードの挿入口の周囲を専用のＬＥＤ等で照射しているが、その光源はその照明にのみ用いるものである。例えば、特開平９−２８８５２９号公報には、暗いところでもスマートカード（メモリカード）の着脱が容易にできるようにする技術が開示されている。スマートカードの挿入口の周囲には、ＬＥＤで照明されたプレートを設け、挿入口が光るようにしている。
【０００３】
【発明が解決しようとする課題】
本発明は、独立の専用の光源を設けることなく、既存の発光源を利用して、暗い場所でのデジタルカメラのメモリカードを着脱することが容易にできるようにし、操作性を改善すると共に、照明部品点数の削減を図る技術を提供することを目的とするものである。
【０００４】
【課題を解決するための手段】
本発明は、上記目的を達成するためになされたもので、デジタルカメラの既存の発光源を用いてメモリーカード収納入口を照明する照明手段を備えたことを特徴とするデジタルカメラの照明装置である。
【０００５】
この場合に、具体的な手段としては、前記発光源はストロボとし、ストロボのフラッシュ光を利用し、前記照明手段はストロボのレフレクタに設けた孔からの漏光を導く導光部材と、メモリーカード収納入口の周囲に設けた蓄光部材と、カード収納入口の蓋の開閉を検知する検出スイッチとから構成した照明装置が好適で、カード挿入口付近の蓄光部材に蓄光し、暗闇でもある程度の時間光るようにする。
【０００６】
また別の例としては前記発光源を液晶モニタのバックライトとし、前記照明手段としてバックライトの一部をメモりカード挿入口方向に漏光させる光路、又はバックライトの一部をメモリカード挿入口付近に導く導光部材としてもよく、さらに他の例としては前記発光源は既設のＬＥＤ光源とし、前記照明手段としてはこの既設のＬＥＤ光源をメモリカード挿入口付近に導く導光部材とすればよい。
【０００７】
【発明の実施の形態】
以下図面を参照して本発明の実施の形態を説明する。図１、図２に本発明の第１の実施例を示した。この実施例はストロボ１０から光を導いてメモリカード挿入口３１を照明するものである。ストロボ１０のストロボレフレクタ１２の一部に孔１３を形成し、その孔１３を通るキセノンランプ１１のフラッシュ光を導光部材２０により、カード挿入口３１付近に導く構造にした。カード挿入口３１の周りには蓄光部材３２を配設し、ストロボ１０の瞬間的な発光を導光部材２０の先端２１で把え、導光部材２０の尾端２２で発光させ、これを蓄光部材３２に蓄光し、蓄光部材３２がある程度の時間発光できるようにする。
【０００８】
ストロボ１０が発光するにはストロボ電源の電圧を高める必要がある。カード挿入口３１の蓋３３の開閉３４を検知するスイッチ３５により蓋３３が開けられたことを検知し、カメラの本体電源がＯＦＦ状態のときでも、ストロボ１０を発光させるようにする。なお、ストロボ１０は、図３に示すように、本体電源がＯＮのとき矢印１４で示すように本体から上方へ露出し、本体電源がＯＦＦの時には、図４に示すように、本体内に収納されて、ストロボ１０がユーザの目に直接触れない形式のものである。
【０００９】
次に本発明の第２の実施例を図５、図６により説明する。第２の実施例はデジタルカメラにおいて既存の光源である液晶モニタ４１のバックライト４２を利用し、メモリカード挿入口３１を照明する。
【００１０】
液晶モニタ４１のバックライト４２の一部をメモりカード挿入口方向に光漏れさせる光路を設けて照射するようにするか、又は、導光部材２０を用い、その先端２１でバックライト４２の一部を把え、メモリカード挿入口３１付近に導き、その尾端２２で照射する。この照射によりメモリカード３０を矢印３６で示すように挿入口３１に挿入することができる。導光部材２０は例えば細いグラスファイバでよい。
【００１１】
カード挿入口３１の蓋３３の開閉３４を検出して、蓋３３が開いた場合、一定の時間、本体電源のＯＮ，ＯＦＦに関わらず、液晶モニタ４１のバックライト４２を点灯させ、メモリカード挿入口３１付近を照らすようにする。
【００１２】
次に本発明の第３の実施例を図７を参照して説明する。ファインダ５１のファインダランプガイド５３に取付けられているファインダランプ５２などの既設のＬＥＤ光源を、導光部材２０によりメモリカード挿入口３１付近に導き、照射する。この場合、カード挿入口３１の蓋３３の開閉を検出し、開いた場合一定の時間、本体電源のＯＮ，ＯＦＦに関わらず、ファインダランプ５２用のＬＥＤを点灯させるようにし、メモリカード挿入口３１付近を照らす。ファインダーランプ５２などのＬＥＤ光源は、デジタルカメラには、通常装備されている。
【００１３】
【発明の効果】
本発明によれば、暗い場所における、メモリカード着脱の操作性が大きく改善される。また、独立の光源を必要とせず、既設の発光源を用いて照明をするので光源部品の削減に寄与する。
【図面の簡単な説明】
【図１】第１の実施例の説明図である。
【図２】第１の実施例の説明図である。
【図３】第１の実施例のカメラ電源がＯＮのときのストロボの突出を示す説明図である。
【図４】第１の実施例のカメラ電源がＯＦＦのときのストロボの収納を示す説明図である。
【図５】第２の実施例の説明図である。
【図６】第２の実施例の説明図である。
【図７】第３の実施例の説明図である。
【符号の説明】
１　　カメラ
１０　　ストロボ
１１　　キセノンランプ
１２　　レフレクタ
１３　　孔
２０　　導光部材
２１　　先端
２２　　尾端
３０　　カード
３１　　カード挿入口
３２　　蓄光部材
３３　　蓋
３４　　開閉
３５　　スイッチ
３６　　矢印
４１　　液晶モニタ
４２　　バックライト
５１　　ファインダ
５２　　ファインダランプ
５３　　ファインダーランプガイド
【図１】
2004061571.tif 000003
【図２】
2004061571.tif 000004
【図３】
2004061571.tif 000005
【図４】
2004061571.tif 000006
【図５】
2004061571.tif 000007
【図６】
2004061571.tif 000008
【図７】
2004061571.tif 000009